(57)【要約】【課題】ソレノイドに可動鉄心の開閉動作毎に可動鉄心の回転を促す手段を設けることによって、可動鉄心の摺動面を随時異ならせ、可動鉄心の摺動面全周を有効活用すると共に、機能低下の抑制を行ない長寿命となるようにする。【解決手段】ソレノイド本体１に設けられた軸受ガイド３により案内されるようにした可動鉄心２と、可動鉄心２の径方向外方へ突出した圧入ピン４により可動鉄心２に周方向への回転運動を作用させる凸形状部５ａ，５ｂを有する可動鉄心回転治具５とを備えた【選択図】　　　　図１
2004111576.tif 000002
【特許請求の範囲】
【請求項１】
ソレノイド本体に設けられた軸受ガイドにより案内されるようにした可動鉄心と、該可動鉄心の径方向外方へ突出したピン手段により前記可動鉄心に周方向への回転運動を作用させる凸形状部を有する可動鉄心回転治具とを備えたことを特徴とするソレノイド。
【請求項２】
請求項１のソレノイドにおいて、ピン手段が前記可動鉄心回転治具の凸形状部の傾斜に係合することにより可動鉄心に周方向への回転運動を作用せるよう構成したことを特徴とするソレノイド。
【請求項３】
請求項１又は２のソレノイドにおいて、ピン手段が、可動鉄心の吸引動作時に、前記可動鉄心回転治具の凸形状部の傾斜に添って案内されることにより可動鉄心自体に周方向への回転運動を作用させるよう構成したことを特徴とするソレノイド。
【請求項４】
請求項１、２又は３のソレノイドにおいて、ピン手段が、可動鉄心の復帰動作時に、前記可動鉄心回転治具の凸形状部の傾斜に添って案内されることによって可動鉄心自体に周方向への回転運動を作用させるよう構成したことを特徴とするソレノイド。
【請求項５】
請求項１、２、３又は４のソレノイドにおいて、可動鉄心回転治具には、可動鉄心自体の吸引動作時、復帰動作時、共に同一周方向への回転運動が作用されるよう構成したことを特徴とするソレノイド。
【請求項６】
請求項１、２，３、４又は５のソレノイドにおいて、可動鉄心回転治具の凸形状部の傾斜の角度・数を所定の状態としたことを特徴とするソレノイド。
【発明の詳細な説明】
【０００１】
【発明の属する技術分野】
本発明は、デジタルＰＰＣ、レーザープリンタなどの画像形成装置に用いられるソレノイドに関するものである。
【０００２】
【従来の技術】
デジタルＰＰＣ、レーザープリンタなどの画像形成装置に用いられる従来のソレノイドの一例は図６及び図７に示されている。図中、１はソレノイド本体、２は可動鉄心、３は軸受ガイドであり、また、ヨーク、ボビン、コイル等を備えている。
【０００３】
画像形成装置に使用される従来のソレノイドの他の例としては特許文献１に示すものがある。
【０００４】
【特許文献１】
特開平９―１６７７０７号公報
【０００５】
【発明が解決しようとする課題】
図６及び図７に示すソレノイドにおいて、可動鉄心２は吸引作動時や復帰作動時には軸心方向へ進退動するが、周方向へは回転作動作せず、また特に水平配置状態で使用される場合には、可動鉄心２の可動接点部と可動鉄心２を案内する軸受ガイド３側の固定接点部（図６、図７ののＸ１、Ｘ２の部分を参照）は、可動鉄心２の自重により、軸受ガイド３内奥と軸受ガイド３内手前の点に制限されてしまう。
【０００６】
而して斯かる状態では、可動接点部と固定接点部の摩耗が促進され、可動鉄心２及び軸受ガイド３の寿命が短くなる。また、可動鉄心２の表面全周、並びに軸受ガイド３内面全周にコーティングされている摩擦低減用のの摺動面が有効活用できていない。
【０００７】
また、特許文献１に示すソレノイドにおいては、高摩擦点まで摩擦すると未使用の摩擦面に回転されるが、回転させる場合にソレノイド以外の手段を用いている。また、摩擦が促進されているか否か判断する手段が必要なうえ、ソレノイド以外の手段を設けなれば可動鉄心を周方向へ回転させることができないため、余分な手段が必要となり、構造が複雑となって具合が悪い。
【０００８】
本発明は、上記の欠点を鑑みてなされたものであり、ソレノイドに可動鉄心の開閉動作毎に回転を促す手段を設けることによって、可動鉄心の摺動面を随時異ならせ、可動鉄心の摺動面全周を有効活用すると共に、機能低下の抑制を行ない長寿命となるようにすることを目的とする。
【０００９】
【課題を解決するための手段】
前記目的を達成するために、請求項１の発明は、ソレノイド本体に設けられた軸受ガイドにより案内されるようにした可動鉄心と、該可動鉄心の径方向外方へ突出したピン手段により前記可動鉄心に周方向への回転運動を作用させる凸形状部を有する可動鉄心回転治具とを備えたソレノイドを最も主要な特徴とする。
【００１０】
請求項２の発明は、前記ソレノイドにおいて、ピン手段が前記可動鉄心回転治具の凸形状部の傾斜に係合することにより可動鉄心に周方向への回転運動を作用させるよう構成したソレノイドを主要な特徴とする。
【００１１】
請求項３の発明は、前記ソレノイドにおいて、ピン手段が、可動鉄心の吸引動作時に、前記可動鉄心回転治具の凸形状部の傾斜に添って案内されることにより可動鉄心自体に周方向への回転運動を作用させるよう構成したことを主要な特徴とする。
【００１２】
請求項４の発明は、前記ソレノイドにおいて、ピン手段が、可動鉄心の復帰動作時に、前記可動鉄心回転治具の凸形状部の傾斜に添って案内されることによって可動鉄心自体に周方向への回転運動を作用させるよう構成したことを主要な特徴とする。
【００１３】
請求項５の発明は、前記ソレノイドにおいて、可動鉄心回転治具には、可動鉄心自体の吸引動作時、復帰動作時、共に同一周方向への回転運動が作用されるよう構成したことを主要な特徴とする。
【００１４】
請求項６の発明は、前記ソレノイドにおいて、可動鉄心回転治具の凸形状部の傾斜の角度・数を所定の数としたことを主要な特徴とする。
【００１５】
本発明によれば、可動鉄心の表面全周が摺動面となることによって、摩擦の分散化ができ、長寿命化へと繋がる効果が得られる。
【００１６】
【発明の実施の形態】
以下、図面により本発明の実施の形態を図示例により詳細に説明する。
図１〜図５（イ）（ロ）（ハ）は本発明の実施の形態の一例で、図６及び図７の場合と同様、図中、１はソレノイド本体、２は可動鉄心、３は軸受ガイドである。また、４は可動鉄心２の軸心方向所定位置において可動鉄心２を径方向へ貫通し両端部が可動鉄心２の径方向外方へ突出した圧入ピン、５はソレノイド本体１の軸心方向一端に取付けられて内周面に複数の凸形状部５ａ，５ｂが設けられた可動鉄心回転治具である。凸形状部５ａ，５ｂは夫々円周方向へ一定の間隔で設けられていると共に対向する端部は互に隣合う凸形状部５ｂ，５ａの円周方向中間部に位置し、しかも、側面から見て略ハの字状に形成されている。また、ソレノイドはヨーク、ボビン、コイル等を備えている。
【００１７】
本図示例によれば、可動鉄心２の軸線方向への進退動（開閉動作）によって、可動鉄心２の圧入ピン４が、可動鉄心回転治具５の凸形状部５ａ，５ｂの傾斜に沿って案内されることによって、可動鉄心２自体に円周方向一方向への回転運動が付与される（図４及び図５（イ）〜（ハ）参照）。これにより、可動鉄心２の表面全周が実際に摺動面となる。また、各凸形状部５ａ，５ｂによる回転角度は、可動鉄心回転治具５の凸形状部５ａ，５ｂの数、傾斜の角度や形状、圧入ピン４の大きさ等により、自由に設定できる。
【００１８】
【発明の効果】
以上説明したように、請求項１〜６のソレノイドによれば、可動鉄心の表面全周が軸受ガイドに対する摺動面となるため、摩擦の分散化が可能となり、可動鉄心や軸受ガイドの長寿命化を図ることができる。
【図面の簡単な説明】
【図１】本発明のソレノイドの実施の形態の一例を示す断面図である。
【図２】図１に示す実施の形態をＩＩ−ＩＩ方向から見た図である。
【図３】図１に示すソレノイドの斜視図である。
【図４】本発明のソレノイドにおける圧入ピンの動きと可動鉄心の動きを説明するための概要図である。
【図５】（イ）〜（ハ）は本発明のソレノイドにおける可動鉄心の回転状態を示す断面概要図である。
【図６】従来のソレノイドにおける使用状態例を示す断面図である。
【図７】図６に示す使用状態例をＩＩＩ−ＩＩＩ方向から見た図である。
【符号の説明】
１　ソレノイド本体
２　可動鉄心
３　軸受ガイド
４　圧入ピン（ピン手段）
５　可動鉄心回転治具
５ａ　凸形状部
５ｂ　凸形状部
【図１】
2004111576.tif 000003
【図２】
2004111576.tif 000004
【図３】
2004111576.tif 000005
【図４】
2004111576.tif 000006
【図５】
2004111576.tif 000007
【図６】
2004111576.tif 000008
【図７】
2004111576.tif 000009